(57)【特許請求の範囲】
【請求項１】
メイン回路基板を内蔵したベース本体に、カバー本体を重ね合わせて一体的に結合する構造とし、上記ベース本体は、少なくとも一対の係止爪を突設した、裏面に開口する窓孔部を有するとともに、その窓孔部には、電子部品、回路部品を嵌入させた構造にした電気情報機器において、
上記カバー本体の内面には、上記係止爪の外方に位置させて、係止爪の弾性変形を規制する規制突部を形成し、上記窓孔部に形成された係止爪は、その一方の係止爪が硬く、他方の係止爪が柔軟に形成されており、他方の係止爪が、上記カバー本体の内面に形成した規制突部で規制される構造になっている電気情報機器。
【請求項２】
請求項１において、上記窓孔部には、電子部品、回路部品を載置する台座部が形成されている電気情報機器。
【請求項３】
請求項１または２において、上記ベース本体の内面には、上記カバー本体の内面に形成された規制突部を挿入する溝凹部を形成している電気情報機器。
【請求項４】
請求項１〜３の何れかにおいて、上記窓孔部に嵌入される回路部品が、メイン回路基板とはハーネスで接続され、ベース本体の裏面開口側に接続コネクタを設けた速結端子である電気情報機器。
【請求項５】
請求項１〜４の何れかにおいて、電子情報機器が、インターホン親機である電気情報機器。
【請求項６】
請求項１〜５の何れかにおいて、電子情報機器が、ハンズフリーインターホン親機である電気情報機器。
【発明の詳細な説明】
【０００１】
【発明の属する技術分野】
本発明は、電気情報機器に関し、詳しくは、メイン回路基板を内蔵したベース本体に、カバー本体を重ね合わせて一体的に結合する構造とし、上記ベース本体は、少なくとも一対の係止爪を突設した、裏面に開口する窓孔部を有するとともに、その窓孔部には、電子部品、回路部品を嵌入させた構造にした電気情報機器に関する。
【０００２】
【従来の技術】
図９は、従来の電気情報機器の一部を示した分解斜視図である。
【０００３】
この電気情報機器Ａ’は、図９で示すように、メイン回路基板１０１を内蔵したベース本体１００に、カバー本体２００を重ね合わせて一体的に結合する構造としたものである。
【０００４】
上記ベース本体１００の上端側には、裏面に開口する窓孔部１０２を開設しており、その窓孔部１０２の上下端には、内側に向けて一対の係止爪１０３，１０４を突設している。
【０００５】
この係止爪１０３，１０４の先端は、内方に突出する係止片部１０３ａ，１０４ａを各々設けている。
【０００６】
また、上記メイン回路基板１０１は、上記係止爪１０３，１０４を露呈するように切欠部１０１ａを形成している。
【０００７】
上記窓孔部１０２には、速結端子，スイッチなどの電子部品、回路部品（以下、「電子部品等」と称する。）１０５を嵌入するとともに、この嵌入した電子部品等１０５を、上記係止爪１０３，１０４で挟持して、これを固定する構造としている。
【０００８】
図１０〜図１２は、従来の電気情報機器における電子部品等の固定構造を示す分解斜視図である。
【０００９】
図１０は、上記電子部品等１０５を上記窓孔部１０２に単純に嵌入する構造を示している。
すなわち、上記電子部品等１０５をベース本体１００の窓孔部１０２に嵌入するとともに、これを押し込むと、電子部品等１０５の上下端縁１０５ａ，１０５ａは、上記係止爪１０３，１０４を押し広げながら嵌入する。そして、係止爪１０３，１０４の係止片部１０３ａ，１０４ａを、電子部品等１０５の上下端縁１０５ａ，１０５ａが乗り越えると、上記係止爪１０３，１０４は、その付勢力によって内側に弾性変形し、係止片部１０３ａ，１０４ａが電子部品等１０５の上下端縁１０５ａ，１０５ａに係合する。このようにして、電子部品等１０５を係止爪１０３，１０４で挟持して固定する構造としたものである。
【００１０】
図１１は、上記電子部品等１０５を上記窓孔部１０２に嵌入するとともに、ネジで固定する構造を示している。
【００１１】
具体的には、図１０に加えて、上記電子部品等１０５の一端には、ネジ１１０を挿通する凹所１０５ｂを形成し、この凹所１０５ｂと対応する上記係止爪１０４には、ネジ受部１０６を立設している。
【００１２】
すなわち、上記電子部品等１０５をベース本体１００の窓孔部１０２に嵌入するとともに、これを押し込むと、電子部品等１０５の上下端縁１０５ａ，１０５ａは、上記係止爪１０３，１０４を押し広げながら嵌入する。そして、係止爪１０３，１０４の係止片部１０３ａ，１０４ａを、電子部品等１０５の上下端縁１０５ａ，１０５ａが乗り越えると、上記係止爪１０３，１０４は、その付勢力によって内側に弾性変形し、係止片部１０３ａ，１０４ａが電子部品等１０５の上下端縁に係合する。
【００１３】
このとき、上記ネジ受部１０６と凹所１０５ｂは重合し、この凹所１０５ｂを介してネジ受部１０６にネジ１１０を螺合すれば、電子部品等１０５はネジ１１０で固定できる。
【００１４】
このようにして、電子部品等１０５を係止爪１０３，１０４で挟持するとともに、ネジで確実に固定する構造としたものである。
【００１５】
図１２は、上記電子部品等１０５を上記窓孔部１０２に嵌入するとともに、これを押え付けて固定する構造を示している。
【００１６】
具体的には、図１０に加えて、上記電子部品等１０５に対応する上記カバー本体２００には、棒状の押えリブ２０１を内方に立設している。
【００１７】
すなわち、上記電子部品等１０５をベース本体１００の窓孔部１０２に嵌入するとともに、これを押し込むと、電子部品等１０５の上下端縁１０５ａ，１０５ａは、上記係止爪１０３，１０４を押し広げながら嵌入する。そして、係止爪１０３，１０４の係止片部１０３ａ，１０４ａを、電子部品等１０５の上下端縁１０５ａ，１０５ａが乗り越えると、上記係止爪１０３，１０４は、その付勢力によって内側に弾性変形し、係止片部１０３ａ，１０４ａが電子部品等１０５の上下端縁１０５ａ，１０５ａに係合する。
【００１８】
その後、上記ベース本体１００に、カバー本体２００を重ね合わせて一体的に結合すれば、上記押えリブ２０１が電子部品等１０５に当接して、これを押え止め、上記電子部品等１０５は固定できる。
【００１９】
このようにして、電子部品等１０５を係止爪１０３，１０４で挟持するとともに、押えリブ２０１で確実に固定する構造としたものである。
【００２０】
【発明が解決しようとする課題】
しかし、図１０の電気情報機器Ａ１では、電子部品等１０５の固定が、係止爪１０３，１０４による係合だけであるので、この電子部品等１０５に、例えば運搬中の振動による荷重や、その他の押圧による荷重が負荷された場合、上記電子部品等１０５の係合が外れてしまうおそれがあるという問題が生じている。
【００２１】
一方、図１１の電気情報機器Ａ２では、電子部品等１０５は、ネジ１１０で固定されているため、上記問題はない。
【００２２】
しかし、上記ネジ１１０による電子部品等１０５のネジ止め作業が必要となるために、電気情報機器Ａの組立性が悪いという問題が生じる。
【００２３】
また、電子部品等１０５をネジ１１０で完全に固定するため、この電子部品等１０５が摺動することはできない。これでは、上記電子部品等１０５がスライドスイッチなどのように摺動させる必要のある電子部品等１０５の場合には使用することができないという問題がある。
更に、図１２の電気情報機器Ａ３では、電子部品等１０５は、押えリブ２０１で固定されているため、係合が外れるおそれは少ない。
しかし、電子部品等１０５側から押さリブ２０１方向に押圧荷重を受けた場合には、押えリブ２０１を介して上記カバー本体２００が、ベース本体１００と外れてしまうおそれがあるという問題が生じる。
また、上記押えリブ２０１が邪魔になってベース本体１００内にＣＲＴなどの部品を収蔵し難いという問題もある。
【００２４】
本発明は、かかる課題を解決することを目的としたもので、電子部品等を確実に固定するとともに、組立性の良い電気情報機器を提供する。
【００２５】
【課題を解決するための手段】
上記目的を達成するため、請求項１に係る電気情報機器は、メイン回路基板を内蔵したベース本体に、カバー本体を重ね合わせて一体的に結合する構造とし、上記ベース本体は、少なくとも一対の係止爪を突設した、裏面に開口する窓孔部を有するとともに、その窓孔部には、電子部品、回路部品を嵌入させた構造にした電気情報機器において、上記カバー本体の内面には、上記係止爪の外方に位置させて、係止爪の弾性変形を規制する規制突部を形成している。
【００２６】
請求項１では、ベース本体の窓孔部に電子部品等を嵌入させ、係止爪で電子部品等を固定してから、ベース本体にカバー体を重ね合わせると、カバー体の内面に形成した規制突部が、係止爪を外方に位置して、係止爪の弾性変形を規制するので、電子部品等が、ベース本体の裏面から、押圧力を受けても、不容易に外れたり、位置がずれることがない。
【００２９】
更に、請求項１に係る電気情報機器は、上記窓孔部に形成された係止爪は、その一方の係止爪が硬く、他方の係止爪が柔軟に形成されており、他方の係止爪が、上記カバー本体の内面に形成した規制突部で規制される構造になっている。
【００３０】
請求項２に係る電気情報機器は、請求項１において、上記窓孔部には、電子部品、回路部品を載置する台座部が形成されている。
【００３１】
請求項２では、メイン回路基板と距離をあけて取付けできる。請求項３に係る電気情報機器は、請求項１または２において、上記ベース本体の内面には、上記カバー本体の内面に形成された規制突部を挿入する溝凹部を形成している。
【００３２】
請求項４に係る電気情報機器は、請求項１〜３の何れかにおいて、上記窓孔部に嵌入される回路部品が、メイン回路基板とはハーネスで接続され、ベース本体の裏面開口側に接続コネクタを設けた速結端子である。
【００３３】
請求項５に係る電気情報機器は、請求項１〜４の何れかにおいて、電子情報機器が、インターホン親機である。
【００３４】
請求項６に係る電気情報機器は、請求項１〜５の何れかにおいて、電子情報機器が、ハンズフリーインターホン親機である。
【００３５】
【発明の実施の形態】
以下、本発明に係る電気情報機器Ａを図面に基づき説明する。
図１は、本発明に係る電気情報機器の一部を示した分解斜視図である。
【００３６】
この電気情報機器Ａは、メイン回路基板１１を内蔵したベース本体１０に、カバー本体２０を重ね合わせて一体的に結合する構造としたものである。
【００３７】
上記ベース本体１０の上端側には、裏面に開口する窓孔部１を開設しており、その窓孔部１の上下端には、内側に向けて一対の係止爪２，３を突設している。
【００３８】
この係止爪２，３の先端は、内方に突出する係止片部２ａ，３ａを各々設けている。
【００３９】
また、上記メイン回路基板１１は、上記係止爪２，３を露呈するように切欠部１１ａを形成している。
上記窓孔部１には、速結端子，スイッチなどの電子部品等４を嵌入するとともに、この嵌入した電子部品等４を、上記係止爪２，３で挟持して、これを固定する構造としている。
【００４０】
図２は、本発明に係る電気情報機器の要部を示す拡大断面図である。
本発明は、上記カバー体２０の内面に、カバー本体２０をベース本体１０と一体的に結合させた場合において、上記窓孔部１の係止爪２の外方に位置して係止爪２の弾性変形を規制する規制突部２１を形成したことに特徴がある。
すなわち、この規制突部２１によって、係止爪２は外方へ開くことを規制されるので、電子部品等４が例えば図中矢印で示すようにベース本体２０の裏側から押圧荷重を受けても、電子部品等４の上下端縁４１，４２が、上記係止片部２ａ，３ａによって確実に係止されて、電子部品等４の外れを確実に防止できる。また、上記カバー本体２０側からの押圧荷重を受けた場合でも、上記規制突部２１がベース本体１０に対して押圧するだけであって、電子部品等４が押圧荷重を受けることはない。
【００４１】
以下、図面に基づき詳説する。
上記窓孔部１には、上記電子部品等４を載置する台座部１ａを適所に形成している。この台座部１ａを形成することで、電子部品等４を嵌入した際、電子部品等４をメイン回路基板１１から所定の離間距離をあけて取り付けることができる。
【００４３】
本実施例では、上記窓孔部１に形成された係止爪２，３のうち、窓孔部１の下端側に形成した係止爪３は、弾性変形不能な硬い素材で形成されており、窓孔部１の上端側に形成した係止爪２は、柔軟な素材で形成したものを採用している。
【００４４】
このように、少なくとも一方の係止爪２，３を弾性変形する柔軟な素材で形成すれば、上記電子部品等４の嵌入に際して容易に嵌入することができ、電子部品等４を傷つけることがない。
【００４５】
また、上記係止爪２の外方には、上記カバー本体２０の規制突部２１を挿入する溝凹部１２を形成する。図２では、ベース本体１０の側壁１０ａから上記規制突部２１の厚みをあけて上記係止爪２を立設し、上記溝凹部１２を形成している。
このため、柔軟な素材で形成された係止爪２は、上記カバー本体２０の規制突部２１で規制される構造となる。
【００４６】
このように、ベース本体１０に隣接して上記溝凹部１２を形成すれば、上記規制突部２１がＣＲＴなどの部品をベース本体１０内に収蔵する際に邪魔になることがない。
また、上記窓孔部１に嵌入された回路部品４は、速結端子の場合では、メイン回路基板１１とハーネス（不図示）や、ベース本体１０の裏面開口側に設けた接続コネクタ４３により接続している。
さらに、上記電気情報機器Ａは、インターホン親機或いはハンズフリーインターホン親機として使用される。
上記のように構成した本発明に係る電気情報機器Ａは、以下のように組立てる。
図３〜図７は、本発明に係る電気情報機器の組立要領図である。
【００４７】
先ず、図３に示すように、ベース本体１０の上記窓孔部１に、電子部品等４を上方より嵌入する。このとき、窓孔部１の係止爪２は弾性変形するので、指で広げれば、電子部品等４を傷つけずに容易に嵌入できる。なお、電子部品等４は、上記接続コネクタ４３にそのまま接続する。
【００４８】
次に、図４に示すように、上記電子部品等４を完全に窓孔部１に嵌入させた後、上記係止爪２を離せば、その係止片部２ａは、電子部品等４の上端縁部４１に係止する。このとき、他の係止爪３の係止片部３ａは、既に電子部品等４の下端縁部４２に係止している。
【００４９】
その後、図５に示すように、ＣＲＴなどの部品ｃをさらにベース本体１０内に収蔵してこれを取り付ける。
【００５０】
ベース本体１０に全ての部品を収蔵した後、図６に示すように、上記カバー本体２０の規制突部２１を、上記ベース本体１０の溝凹部１２に向けて挿入し、そのままカバー本体２０をベース本体１０に被せて一体的に結合させる。
【００５１】
この結合により、図２に示す状態となり、上記規制突部２１は、溝凹部１２に挿入されて上記係止爪２の外方への弾性変形を規制し、電子部品等４が確実に係止爪２，３によって固定されるのである。
【００５２】
図７は、この組立てた状態を示している。図８は、本発明に係る電気情報機器の参考例を示す要部断面図であるこの実施例は、上記係止爪２，３の両方が、弾性変形可能な柔軟な素材で形成した場合を例示している。
【００５３】
また、この係止爪２，３は、上記カバー本体２０側に形成し、上記規制突部２１をベース本体１０側に形成している。
【００５４】
なお、上記電子部品等４として、摺動を必要とするスライドスイッチを想定したものである。
【００５５】
本参考例で示すように、上記係止爪２，３はカバー本体２０側に形成することもできる。すなわち、上記係止爪２，３の外方に間隔をあけてリブ２ｂ，３ｂを各々形成することで、この係止爪２，３ｎに隣接する上記溝凹部１２，１２を各々形成している。
【００５６】
一方、この溝凹部１２，１２に対応する位置であって、上記ベース本体１０の内面には、各々係止爪２，３の弾性変形を規制する規制突部２１，２１を突設している。
【００５７】
この参考例の場合では、上記電子部品等４を係止爪２，３で挟んだ状態にしてから、このカバー本体２０の溝凹部１２，１２を、上記規制突部２１，２１に向けて嵌挿すれば、上記同様に、係止爪２，３が規制突部２１，２１によって弾性変形を規制することができ、上記同様の効果を得ることができる。
【００５８】
また、電子部品等４は、カバー本体１０から外被されているので、例えばスライドスイッチのような摺動を必要とする部品であっても、このカバー本体２０に、上記窓孔部１に相当する横長孔部１’を形成すれば、電子部品等４を左右方向には摺動可能にすることができ、カバー本体１０の外側から摺動を行う電子部品等４に対して使用することができる。
【００５９】
【発明の効果】
本発明に係る電気情報機器によれば、ベース本体の窓孔部に電子部品等を嵌入させ、係止爪で電子部品等を固定してから、ベース本体にカバー体を重ね合わせると、カバー体の内面に形成した規制突部が、係止爪を外方に位置して、係止爪の弾性変形を規制するので、電子部品等が、ベース本体の裏面から、押圧力を受けても、不容易に外れたりすることがない。
【００６０】
したがって、運搬中の振動による荷重や、その他の押圧による荷重を受けても、上記電子部品等の係合が外れてしまうおそれがない。
【００６１】
また、上記電子部品等はネジで固定することなく、容易に窓孔部に嵌入して係止爪で固定されるので、ネジ止め作業を行う必要がなく、電気情報機器の組立性が良い。
【００６３】
さらに、電気情報機器にどの方向から押圧荷重を受けても、上記電子部品等が外れることがなく、電子部品等側から規制突部に対して直接荷重を与えることがないので、カバー本体がベース本体と外れることもない。
【００６４】
しかも、上記規制突部をカバー本体の側壁に隣接する溝凹部に挿入すれば、ＣＲＴなどの部品をベース本体に収蔵する場合に、上記規制突部が邪魔になることがない。
【図面の簡単な説明】
【図１】 本発明に係る電気情報機器の一部を示した分解斜視図
【図２】 本発明に係る電気情報機器の要部を示す拡大断面図
【図３】 本発明に係る電気情報機器の組立要領図（電子部品等を嵌入する前の状態）
【図４】 本発明に係る電気情報機器の組立要領図（電子部品等の嵌入した状態）
【図５】 本発明に係る電気情報機器の組立要領図（ＣＲＴを内蔵する状態）
【図６】 本発明に係る電気情報機器の組立要領図（規制突部を溝凹部に合せながらカバー本体をベース本体に重ね合せる状態）
【図７】 本発明に係る電気情報機器の組立要領図（電気情報機器を組立てた状態）
【図８】  本発明に係る参考例の電気情報機器の要部断面図
【図９】 従来の電気情報機器の一部を示した分解斜視図
【図１０】従来の電気情報機器における電子部品等の固定構造を示す分解斜視図（単純嵌入型）
【図１１】従来の電気情報機器における電子部品等の固定構造を示す分解斜視図（ネジ固定型）
【図１２】従来の電気情報機器における電子部品等の固定構造を示す分解斜視図（リブ固定型）
【符号の説明】
Ａ    電気情報機器
１    窓孔部
１ａ  台座部
１１  メイン回路基板
１２  溝凹部
２，３係止爪
２１  規制突部
４    電子部品等
４３  接続コネクタ
【図１】
0003637816.tif 000002
【図２】
0003637816.tif 000003
【図３】
0003637816.tif 000004
【図４】
0003637816.tif 000005
【図５】
0003637816.tif 000006
【図６】
0003637816.tif 000007
【図７】
0003637816.tif 000008
【図８】
0003637816.tif 000009
【図９】
0003637816.tif 000010
【図１０】
0003637816.tif 000011
【図１１】
0003637816.tif 000012
【図１２】
0003637816.tif 000013